(57)【要約】      （修正有）【課題】コンパクトに収納でき、かつ背もたれと肘掛がついた身体障害者や高齢者が使いやすい非常用トイレを提供する。【解決手段】組立式のダンボール製トイレに背もたれと肘掛を設けるようにし、日常時には、分解してコンパクトに収納し、災害などの緊急時には、工具やノリやテープなどを用いずに大人一人で組み立てられるようにした。【選択図】図１１
0003202513.tif 000002
【実用新案登録請求の範囲】
【請求項１】
背もたれと肘掛が付いている組立式のダンボール製トイレ。
【考案の詳細な説明】
【考案の詳細な説明】
【技術分野】
【０００１】ダンボールを利用した身体障害者あるいは、高齢者のためのトイレに関する。
【背景技術】
【０００２】災害時などに用いられる非常用トイレの多くは、通常では用いることが少ないため、コンパクトに収納ができるように設計されており、折りたたみができる、あるいは組立ができる、あるいは省スペースになるように工夫されている。
【考案が解決しようとする課題】
【０００３】従来の非常用トイレは、コンパクトに収納するために部品の数を減らし、部品の面積も減らすことでコンパクトにする工夫をしている関係で背もたれと肘掛が付いているものは見られなかった。
【０００４】また、ダンボール製の組立式トイレにおいて、背もたれと肘掛が付いているものは見られなかった。
【課題を解決するための手段】
【０００５】組立式のダンボール製トイレに背もたれと肘掛を設置した。
【作用】
【０００６】肘掛をつけることで身体のバランスを崩しやすい身体障害者や高齢者が肘掛に手をついて便座に腰掛けることが可能になり、安定感が増す。
【０００７】また、背もたれをつけることで座面に座っていても姿勢を保ちやすく安定する。
【０００８】さらダンボールの組立式とすることで他の部品や工具を必要とせず、非常時に簡単に組み立てられるようにした。
【考案の効果】
【０００９】日常時は、分解して小さく収納しておけ、災害などの非常時においては、大人が一人でも簡単に組み立てられるトイレは、背もたれと肘掛をつけたことで安定し、身体障害者や高齢者だけでなく、誰もが使用できるトイレとなる。
【図面の簡単な説明】
【００１０】
【図１】  脚１（図１２）と脚２（図１３）を組んだ図
【図２】  図１にて形成したものに肘掛１（図１６）と肘掛２（図１７）を設置した図
【図３】  脚３（図１４）と脚４（図１５）を組んだ図
【図４】  図３にて形成したものの上から図２にて形成したものを挿し込む図
【図５】  図４にて形成したものの中央に底上げ台（図２１）をコの字に折って挿し込む図
【図６】  図５にて形成したものに背もたれ（図１８）を設置する図
【図７】  図６にて形成したものに便座（図１９）を設置した図
【図８】  図７にて形成したものにビニール袋を設置した図
【図９】  図８にて形成したものに便座カバー（図２０）を設置した図
【図１０】  トイレを利用している様子
【図１１】  斜視図
【図１２】  展開図例―脚１
【図１３】  展開図例―脚２
【図１４】  展開図例―脚３
【図１５】  展開図例―脚４
【図１６】  展開図例―肘掛１
【図１７】  展開図例―肘掛２
【図１８】  展開図例―背もたれ
【図１９】  展開図例―便座
【図２０】  展開図例―便座カバー
【図２１】  展開図例―底上げ台
【考案を実施するための形態】
【００１１】  以下、本考案の実施の形態を添付図面に基づき具体的に説明する。
図１は、脚１（図１１）と脚２（図１２）をそれぞれコの字型に折り、向い合わせに組んだ図であり、脚１（図１１）と脚２（図１２）は、同じ形状となっている。
【００１２】  図２は、図１の脚に対し、肘掛１（図１６）と肘掛２（図１７）を設置した図であり、肘掛１（図１６）と肘掛２（図１７）は、同じ形状となっている。
【００１３】  図３は、脚３（図１４）と脚４（図１５）をそれぞれコの字型に折り、向い合せにし、脚４（図１５）を脚３（図１４）の中に入れ込んだ状態である。
【００１４】  図４は、図３にて形成したものに図２で組んだものを上から挿し込む様子を示した図である。
【００１５】  図５は、図４で形成したものの中央部、座面の下になる場所へ底上げ台（図２１）をコの字型に折って入れる様子の図である。
【００１６】  図６は、図５で形成したものに背もたれ（図１８）を便座部分と背もたれ部分に設置する様子の図である。
【００１７】  図７は、図６で形成したものに座面（図１９）を設置した図である。
【００１８】  図８は、図７にて形成したものにビニール袋を設置した図である。
【００１９】  図９は、図８にて形成したものに便座カバー（図２０）を設置したものでトイレを使わない時の図である。
【００２０】  図１０は、トイレを利用している様子の図である。
【００２１】  図１１は、斜視図である。
【産業上の利用の可能性】
【００２２】組立式ダンボール製トイレ。
【符号の説明】
【００２３】ａ    挿し込み用の溝
ｂ    折罫
ｃ    挿し込み用の穴
ｄ    取手用の穴
ｅ    挿し込み用のツメ
ｆ    開口部
【図１】
0003202513.tif 000003
【図２】
0003202513.tif 000004
【図３】
0003202513.tif 000005
【図４】
0003202513.tif 000006
【図５】
0003202513.tif 000007
【図６】
0003202513.tif 000008
【図７】
0003202513.tif 000009
【図８】
0003202513.tif 000010
【図９】
0003202513.tif 000011
【図１０】
0003202513.tif 000012
【図１１】
0003202513.tif 000013
【図１２】
0003202513.tif 000014
【図１３】
0003202513.tif 000015
【図１４】
0003202513.tif 000016
【図１５】
0003202513.tif 000017
【図１６】
0003202513.tif 000018
【図１７】
0003202513.tif 000019
【図１８】
0003202513.tif 000020
【図１９】
0003202513.tif 000021
【図２０】
0003202513.tif 000022
【図２１】
0003202513.tif 000023
【手続補正書】
【提出日】平成27年9月29日(2015.9.29)
【手続補正１】
【補正対象書類名】明細書
【補正対象項目名】０００８
【補正方法】変更
【補正の内容】
【０００８】さらにダンボールの組立式とすることで他の部品や工具を必要とせず、非常時に簡単に組み立てられるようにした。
【手続補正２】
【補正対象書類名】明細書
【補正対象項目名】００１１
【補正方法】変更
【補正の内容】
【００１１】
【考案の実施の形態】
以下、本考案の実施の形態を添付図面に基づき具体的に説明する。
図１は、脚１（図１２）と脚２（図１３）をそれぞれコの字型に折り、向い合わせに組んだ図であり、脚１（図１２）と脚２（図１３）は、同じ形状となっている。
【手続補正３】
【補正対象書類名】明細書
【補正対象項目名】００１３
【補正方法】変更
【補正の内容】
【００１３】  図３は、脚３（図１４）と脚４（図１５）をそれぞれコの字型に折り、向い合せにし、脚３（図１４）を脚４（図１５）の中に入れ込んだ状態である。
【手続補正４】
【補正対象書類名】図面
【補正対象項目名】図１２
【補正方法】変更
【補正の内容】
【図１２】
0003202513.tif 000024
【手続補正５】
【補正対象書類名】図面
【補正対象項目名】図１３
【補正方法】変更
【補正の内容】
【図１３】
0003202513.tif 000025
【手続補正６】
【補正対象書類名】図面
【補正対象項目名】図１４
【補正方法】変更
【補正の内容】
【図１４】
0003202513.tif 000026
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
背もたれと肘掛が取り付けられ、ダンボールによって組み立てられているトイレ。